(57)【要約】【課題】電力を使用することなくスピーカーを備えた端末から出力される音声を拡張可能であって、携帯性に優れた組立式音声拡張装置の提供を目的とした。【解決手段】音声拡張装置１０は、シート状部材２０を屈曲させることにより筒状部３０を構成可能である。筒状部３０には、スピーカー１０２を備えた端末１００を差し込み可能な端末差込口３２が設けられている。また、端末差込口３２に端末１００を差し込むと、端末１００においてスピーカー１０２が設けられた部位が、筒状部３０の内側に到来する。【選択図】図１
2015177517.tif 000002
【特許請求の範囲】
【請求項１】
シート状部材を用いて組み立てることによりスピーカーを備えた端末から出力される音声を拡張させるための音声拡張装置として使用可能であり、
前記シート状部材を屈曲させることにより筒状部を構成可能であり、
スピーカーを備えた端末を差し込み可能な端末差込口が、前記筒状部の軸線方向中間部に形成され、
前記端末差込口に前記端末を差し込むことにより、前記端末において前記スピーカーが設けられた部位が、前記筒状部の内側に到来することを特徴とする組立式音声拡張装置。
【請求項２】
前記端末差込口に差し込まれた前記端末が、前記筒状部の内周面に対して線接触することを特徴とする請求項１に記載の組立式音声拡張装置。
【請求項３】
前記筒状部を設置対象物の設置面上に設置して使用されるものであり、
前記端末差込口に差し込まれた前記端末の姿勢が、前記設置面の法線に対して傾斜した状態になるようにガイドする端末ガイド部を有することを特徴とする請求項１又は２に記載の組立式音声拡張装置。
【請求項４】
前記シート状部材に、前記端末差込口の形成用として差込口形成領域が設けられており、
前記端末差込口を構成する縁のうち、前記筒状部の軸線方向に延びる一の縁Ａを除く他の縁に該当する部位に切れ目が形成されており、
前記縁Ａが稜線をなすように前記差込口形成領域を前記筒状部の内側に押し込むこと、あるいは前記差込口形成領域を前記筒状部の外側に引き出すことにより前記端末ガイド部が形成されることを特徴とする請求項３に記載の組立式音声拡張装置。
【請求項５】
前記筒状部を構成した状態を維持可能なように前記シート状部材を固定する固定手段を有し、
前記筒状部を設置対象物の設置面上に設置した状態において、前記シート状部材の一端側に、前記固定手段による固定位置を越えて前記設置面に到達するように形成された設置面到達部が設けられていることを特徴とする請求項１〜４のいずれかに記載の組立式音声拡張装置。
【請求項６】
前記筒状部を構成した状態を維持可能なように前記シート状部材を固定する固定手段を有し、
前記シート状部材が、弾性力を有する素材によって形成されており、
前記筒状部の軸線方向の一部の領域において前記シート状部材が前記固定手段によって固定され、他の領域においては前記シート状部材が非固定状態とされていることを特徴とする請求項５に記載の組立式音声拡張装置。
【請求項７】
前記設置面到達部の一部の領域が、他の領域よりも大きく撓んで前記筒状部から離れた状態になることを特徴とする請求項５又は６に記載の音声拡張装置。
【請求項８】
前記筒状部を構成した状態を維持可能なように前記シート状部材を固定する固定手段が、前記シート状部材に一体的に形成されていることを特徴とする請求項１〜７のいずれかに記載の組立式音声拡張装置。
【請求項９】
前記端末差込口に前記端末を差し込んだ状態において、前記端末の側方に前記筒状部の内部空間に繋がる隙間が形成されることを特徴とする請求項１〜８のいずれかに記載の組立式音声拡張装置。
【請求項１０】
前記シート状部材が、他部材と組み合わされており、
前記他部材から分離させた前記シート状部材を用いて組み立てることにより前記音声拡張装置として使用可能であることを特徴とする請求項１〜９のいずれかに記載の組立式音声拡張装置。
【発明の詳細な説明】
【技術分野】
【０００１】
本発明は、シート状部材を用いて組み立てることにより音声拡張装置として使用可能な組立式音声拡張装置に関する。
【背景技術】
【０００２】
近年、携帯電話機、スマートフォン、デジタル音楽プレイヤー、タブレット型端末等のような携帯型の端末が多数提供されており、これらの端末で音楽等を楽しむユーザも多い。これらの端末の多くは、携帯性を高めるべく内蔵されているバッテリにより駆動させることが多い。
【０００３】
スマートフォン等の携帯型端末の多くにおいては、イヤフォンやヘッドフォンを使用しなくても簡易に音楽等を楽しむことができるよう、小型のスピーカーが内蔵されている。しかしながら、スマートフォン等の端末で再生される音楽等を、さらに拡張させて再生したいという要望がある。かかる要望を満足すべく、例えば下記特許文献１に開示されているスピーカ装置のようなものが提供されている。このスピーカ装置は、携帯電子機器を接続するためのコネクタやスピーカを備えており、コネクタに接続された携帯電子機器から受信したオーディオ信号を拡張してスピーカから出力することができる。
【先行技術文献】
【特許文献】
【０００４】
【特許文献１】特開２０１３−１４６０４７号公報
【発明の概要】
【発明が解決しようとする課題】
【０００５】
しかしながら、上述した従来技術のスピーカ装置は、携帯電子機器を接続するためのコネクタやスピーカを設ける必要がある分だけ装置構成が複雑であり、携帯電子機器と共に携行する用途には用いにくい。また、従来技術のスピーカ装置は、オーディオ信号を電気的に拡張してスピーカーから出力するものであるため、電源を別途必要とするという問題がある。また、上述したスマートフォン等の端末等の多くは、携帯可能なように内蔵バッテリにより動作可能とされているが、そのバッテリー容量は端末自身を駆動させるだけでもさほど長持ちするものではない。そのため、端末の内蔵バッテリの電力をオーディオ信号の拡張等のためにも用いることとすると、バッテリーにより端末を駆動可能な時間が大幅に減ってしまうという問題がある。
【０００６】
そこで本発明は、電力を使用することなくスピーカーを備えた端末から出力される音声を拡張可能であって、携帯性に優れた組立式音声拡張装置の提供を目的とした。
【課題を解決するための手段】
【０００７】
上述した課題を解決すべく提供される本発明の組立式音声拡張装置は、シート状部材を用いて組み立てることによりスピーカーを備えた端末から出力される音声を拡張させるための音声拡張装置として使用可能であり、前記シート状部材を屈曲させることにより筒状部を構成可能であり、スピーカーを備えた端末を差し込み可能な端末差込口が、前記筒状部の軸線方向中間部に形成され、前記端末差込口に前記端末を差し込むことにより、前記端末において前記スピーカーが設けられた部位が、前記筒状部の内側に到来することを特徴とするものである。
【０００８】
本発明の組立式音声拡張装置は、シート状部材を用いて組み立てることによりスピーカーを備えた端末から出力される音声を拡張させるための音声拡張装置として使用可能なものである。そのため、本発明の組立式音声拡張装置は、シート状部材の状態で持ち運び、使用したい場所において組み立てることにより音声拡張装置として使用できる。従って、本発明の組立式音声拡張装置は、携帯性に優れている。
【０００９】
また、本発明の組立式音声拡張装置は、電源を使用する必要がない。そのため、使用に際して別途電源を準備したり、端末のバッテリーを使用する必要がない。そのため、本発明の組立式音声拡張装置は、電源が使用できない屋外や、バッテリー容量が十分でない端末において音声を拡張するために好適に利用することができる。
【００１０】
また、本発明の組立式音声拡張装置は、シート状部材を丸め構成された筒状部に設けられた端末差込口にスピーカーを備えた端末を差し込むことが可能である。また、端末差込口に端末を差し込むことにより、端末に設けられたスピーカーに相当する部位が、筒状部の内側に到来した状態になる。そのため、端末を作動させてスピーカーから音声を発生させると、筒状部において音声の指向性増強や共鳴等の効果により音声が拡張される。
【００１１】
さらに、本発明の組立式音声拡張装置は、筒状部の軸線方向中間部に差込口形成領域が形成されている。そのため、スピーカーにおいて発生した音声を、端末の両脇に向けて分配して伝播させることができる。従って、本発明の組立式音声拡張装置によれば、端末のスピーカーで発生した音声を、ステレオ方式の如く再生させることができる。
【００１２】
上述した本発明の組立式音声拡張装置は、前記端末差込口に差し込まれた前記端末が、前記筒状部の内周面に対して線接触するものであることが望ましい。
【００１３】
かかる構成とした場合、端末差込口に差し込んだ状態において端末本体の底面となる部分あるいはその近傍にスピーカーが設けられた構造の端末を使用した場合であっても、スピーカーが筒状部の内周面によって完全に閉塞されてしまうことを抑制できる。これにより、端末のスピーカーからクリアに音声を発生させることが可能となる。
【００１４】
上述した本発明の組立式音声拡張装置は、前記筒状部を設置対象物の設置面上に設置して使用されるものであり、前記端末差込口に差し込まれた前記端末の姿勢が、前記設置面の法線に対して傾斜した状態になるようにガイドする端末ガイド部を有するものであることが好ましい。
【００１５】
本発明の組立式音声拡張装置においては、端末差込口に差し込まれた端末が端末ガイド部によってガイドされ、傾斜した姿勢になる。そのため、端末差込口に端末を差し込むことにより、端末が筒状部の内周面に対して線接触した状態になる。これにより、使用する端末が端末本体の底面あるいはその近傍にスピーカーが設けられた構造ものであったとしても、スピーカーが筒状部の内周面によって閉塞されてしまうことを抑制できる。従って、本発明によれば、端末のスピーカーから発生する音声をクリアな状態で拡張可能な組立式音声拡張装置を提供できる。
【００１６】
また、上述した本発明の組立式音声拡張装置は、前記シート状部材に、前記端末差込口の形成用として差込口形成領域が設けられており、前記端末差込口を構成する縁のうち、前記筒状部の軸線方向に延びる一の縁Ａを除く他の縁に該当する部位に切れ目が形成されており、前記縁Ａが稜線をなすように前記差込口形成領域を前記筒状部の内側に押し込むこと、あるいは前記差込口形成領域を前記筒状部の外側に引き出すことにより前記端末ガイド部が形成されるものとすることが可能である。
【００１７】
本発明の組立式音声拡張装置では、シート状部材を筒状部の内側あるいは外側に切り起こすことにより端末差込口を形成すると共に、切り起こすことで形成された切り起こし片を端末ガイド部として利用することができる。そのため、本発明の組立式音声拡張装置においては、端末ガイド部を形成するための別途の構成を設ける必要が無く、シンプルな構成とすることができる。
【００１８】
上述した本発明の組立式音声拡張装置は、前記筒状部を構成した状態を維持可能なように前記シート状部材を固定する固定手段を有し、前記筒状部を設置対象物の設置面上に設置した状態において、前記シート状部材の一端側に、前記固定手段による固定位置を越えて前記設置面に到達するように形成された設置面到達部が設けられているものであることが望ましい。
【００１９】
かかる構成とした場合、組立式音声拡張装置を設置対象物に設置すると、筒状部だけでなく設置面到達部においても設置面に当接した状態になる。そのため、本発明の組立式音声拡張装置は、設置状態における安定性が高い。
【００２０】
また、上述した本発明の組立式音声拡張装置は、前記シート状部材が、弾性力を有する素材によって形成されており、前記筒状部の軸線方向の一部の領域において前記シート状部材が前記固定手段によって固定され、他の領域においては前記シート状部材が非固定状態とされているものとすることが可能である。
【００２１】
かかる構成とした場合、シート状部材を屈曲させて筒状部を構成した場合に、シート状部材には弾性力により元の状態に戻ろうとする力が作用する。固定手段により固定された部分においては、シート状部材の弾性力に反して固定力が作用するが、非固定の部分については弾性力によりシート状部材が筒状部から離れる方向に撓んだ状態になる。本発明の組立式音声拡張装置においては、筒状部の軸線方向の一部において固定手段が設けられているが、他の部分については非固定とされている。そのため、シート状部材の一端側において、固定手段による固定位置を越える領域に形成された設置面到達部の一部（非固定の部分）が筒状部から離れる方向に張り出した状態になる。本発明の組立式音声拡張装置においては、このようにして張り出した部分が、筒状部を支えるための脚として機能し、設置状態における安定性をさらに向上させうる。
【００２２】
上述した本発明の組立式音声拡張装置は、前記設置面到達部の一部の領域が、他の領域よりも大きく撓んで前記筒状部から離れた状態になるものであることが好ましい。
【００２３】
本発明の組立式音声拡張装置においては、設置面到達部の一部の領域が、他の領域よりも大きく撓んで筒状部から離れた状態になるため、この張り出し部分が筒状部を支えるための脚として機能する。従って、本発明によれば、設置状態における安定性に優れた組立式音声拡張装置を提供することができる。
【００２４】
上述した本発明の組立式音声拡張装置は、前記筒状部を構成した状態を維持可能なように前記シート状部材を固定する固定手段が、前記シート状部材に一体的に形成されているものであることが望ましい。
【００２５】
かかる構成によれば、固定手段を形成するための部材を別途準備する必要がなく、組立式音声拡張装置をより一層シンプルなものとすることが可能である。
【００２６】
ここで本発明者らが鋭意検討したところ、端末差込口に端末を差し込んだ状態において端末の側方に筒状部の内部空間に連通した隙間が形成されている方が、隙間がない場合よりも音質や音響効果が向上するとの知見を得た。
【００２７】
かかる知見に基づいて提供される本発明の組立式音声拡張装置は、前記端末差込口に前記端末を差し込んだ状態において、前記端末の側方に前記筒状部の内部空間に繋がる隙間が形成されるものである。
【００２８】
かかる構成とすることにより、端末差込口に差し込んだ端末において発生する音質や音響効果の向上が期待できる。
【００２９】
上述した本発明の組立式音声拡張装置は、前記シート状部材が、他部材と組み合わされており、前記他部材から分離させた前記シート状部材を用いて組み立てることにより前記音声拡張装置として使用可能なものとすることが可能である。
【発明の効果】
【００３０】
本発明によれば、電力を使用することなくスピーカーを備えた端末から出力される音声を拡張可能であって、携帯性に優れた組立式音声拡張装置を提供することができる。
【図面の簡単な説明】
【００３１】
【図１】本発明の一実施形態に係る組立式音声拡張装置を示す斜視図である。
【図２】図１に示した組立型音声増幅装置を構成するシート状部材を示す平面図である。
【図３】図１の要部を拡大した斜視図である。
【図４】図１に示した組立式音声拡張装置の平面図である。
【図５】図１に示した組立式音声拡張装置の断面図である。
【発明を実施するための形態】
【００３２】
以下、本発明の一実施形態に係る組立式音声拡張装置１０（以下、単に「音声拡張装置１０」とも称する）について、図面を参照しつつ詳細に説明する。音声拡張装置１０は、組み立て状態において図１に示すような外観形状を有するものである。音声拡張装置１０は、図２に示すような矩形状のシート状部材２０を用いて組み立てることにより使用可能な状態になる組立式のものである。音声拡張装置１０は、スマートフォンや携帯電話機、デジタル音楽プレイヤー、タブレット型端末等のような携帯型の端末１００のスピーカー１０２から出力される音声を拡張させるためのものである。音声拡張装置１０は、組み立て状態において机や台などの設置対象物１１０の設置面１１２上に設置した状態で使用される。
【００３３】
シート状部材２０は、例えばポリプロピレンやＰＥＴ樹脂等の樹脂素材、あるいは紙等からなるシート状の部材である。本実施形態では、シート状部材２０の材質としてポリプロピレンが採用されている。図２に示すように、シート状部材２０には、音声拡張装置１０の主要部をなす筒状部３０が形成される筒状部形成領域２２と、固定手段５０が形成される固定手段形成領域２４と、設置面到達部６０が形成される設置面到達部形成領域２６とが設けられている。
【００３４】
シート状部材２０の幅方向両端近傍に、固定手段形成領域２４（以下、必要に応じて一方側を「固定手段形成領域２４ａ」と称し、他方側を「固定手段形成領域２４ｂ」とも称する）が設けられている。また、シート状部材２０において固定手段形成領域２４ａ，２４ｂの間に存在するシート状部材２０の大部分をなす領域が、筒状部形成領域２２とされている。また、固定手段形成領域２４ａ，２４ｂのうち一方側に対してさらにシート状部材２０の幅方向外側の領域が、設置面到達部形成領域２６とされている。具体的には、設置面到達部形成領域２６は、固定手段形成領域２４ａ，２４ｂのうち、後に詳述する係合部５２が設けられる固定手段形成領域２４ａ側に設けられている。
【００３５】
また、筒状部形成領域２２内には、端末差込口３２及び端末ガイド部４０を形成するための差込口形成領域２８が設けられている。図１等に示すように、筒状部形成領域２２を屈曲させた状態で固定手段５０により固定することで、筒状部３０と設置面到達部６０を形成することができる。以下、音声拡張装置１０の構造について、さらに詳細に説明する。
【００３６】
筒状部３０は、シート状部材２０の筒状部形成領域２２を屈曲させて筒状にすることにより形成される。筒状部３０は、断面形状が矩形や多角形のものであっても良いが、本実施形態ではシート状部材２０を丸めることにより、断面形状が円形あるいは楕円形になるように形成されている。また、筒状部３０は、内部空間が略中空とされ、両端が解放された形状とされている。筒状部３０は、後に詳述する固定手段５０によってシート状部材２０を固定することにより、形状が維持されている。
【００３７】
図１や図４に示すように、音声拡張装置１０を組み立てると、筒状部３０の軸線方向中間部（本実施形態では略中央部）に端末差込口３２が形成される。端末差込口３２は、シート状部材２０に設けられた差込口形成領域２８を加工して形成される略矩形の開口である。具体的には、シート状部材２０には、差込口形成領域２８を構成する４つの縁Ａ〜縁Ｄのうち、筒状部３０の軸線方向に延びる縁Ａを除く他の縁Ｂ〜Ｄに該当する部位に切れ目２８ｂ〜２８ｄが形成されている。音声拡張装置１０の組み立て時に、縁Ａに相当する部分に稜線２８ａが形成されるように差込口形成領域２８を筒状部３０の内側に押し込むと、端末差込口３２が形成される。また、図１や図５に示すように、差込口形成領域２８に相当する部分は、縁Ａ（稜線２８ａ）を基端部として片持ち状に支持された状態となり、後に詳述する端末ガイド部４０として機能する。
【００３８】
図１や図４に示すように、端末差込口３２の開口幅Ｗ１、すなわち筒状部３０の長手方向への開口領域の長さは、使用が想定されるスマートフォン等の端末１００の平均的な幅Ｗ２よりも大きい。開口幅Ｗ１は、端末１００の幅Ｗ２に対して１ｃｍ〜５ｃｍ程度大きいことが望ましく、１．５〜３ｃｍ程度大きいことがさらに好ましい。この程度の大きさの開口幅Ｗ１とした場合は、端末差込口３２に端末１００を差し込んだ状態において端末１００の両脇に筒状部３０の内部に繋がる隙間３４，３４が形成される。この隙間３４，３４を設けることにより、端末差込口３２への端末１００の差し込みが容易になるだけでなく、音質や音響効果の向上が期待できる。
【００３９】
図５に示すように、端末ガイド部４０は、端末差込口３２に差し込まれる端末１００が倒れ込まないように支持するためのガイドである。端末ガイド部４０によって端末１００を支持すると、端末１００は、設置面１１２の法線Ｌに対して傾斜した状態になる。言い換えれば、端末ガイド部４０は、差込口形成領域２８の縁Ａ側（以下、「背面側」とも称す）から、縁Ａに対向する縁Ｃ側（以下、「正面側」とも称す）に向かうに連れて下り勾配となるように形成されている。そのため、端末差込口３２に端末１００を差し込むと、端末１００は、音声拡張装置１０の背面側から正面側に向けて下り勾配となるように傾いた姿勢になる。これにより、端末１００の底面１００ａ側の部位が筒状部３０の内周面３０ａに対して線接触した状態になる。従って、使用する端末１００が、スピーカー１０２で発生する音声を底面１００ａ側から出力可能なものであったとしても、底面１００ａ全体が筒状部３０の内周面３０ａに面接触して閉塞されることを抑制できる。
【００４０】
固定手段５０は、上述した筒状部３０を構成した状態を維持可能なようにシート状部材２０を固定するためのものである。固定手段５０は、係合部５２と被係合部５４との組み合わせにより構成される係合構造５５を複数（本実施形態では２つ）備えている。固定手段５０を構成する係合部５２及び被係合部５４は、いずれもシート状部材２０に形成されている。すなわち、固定手段５０は、シート状部材２０に一体的に形成されている。
【００４１】
図２に示すように、係合部５２は、シート状部材２０の幅方向一端側に設けられた固定手段形成領域２４ａに設けられている。係合部５２は、固定手段形成領域２４ａに設けられた切れ目５６に沿ってシート状部材２０を切り起こすことにより形成される凸状の部分である。係合部５２を構成するための切れ目５６は、シート状部材２０の長手方向両端近傍に一箇所ずつ形成されている。
【００４２】
被係合部５４は、固定手段形成領域２４ｂに設けられた切れ目５８によって構成されている。切れ目５８は、係合部５２をなす凸状部を形脱可能なように形成されている。また、切れ目５８は、シート状部材２０の長手方向両端近傍に一箇所ずつ形成されている。各切れ目５８は、係合部５２をなす２つの凸状部にそれぞれ対応する位置に形成されている。
【００４３】
ここで、図１や図５等に示すように、音声拡張装置１０を組み立てる場合には、シート状部材２０のうち被係合部５４が形成された固定手段形成領域２４ｂ側が筒状部３０の内側となり、係合部５２が形成された固定手段形成領域２４ａ側が筒状部３０の外側となるようにシート状部材２０を巻回すことで筒状部３０が形成される。すなわち、筒状部３０を形成する場合には、固定手段形成領域２４ｂの外側に固定手段形成領域２４ａが重なった状態になる。そのため、ユーザーが音声拡張装置１０を組み立てる場合には、筒状部形成領域２２を屈曲させた（丸めた）状態として片手で押さえておき、他方の手で固定手段形成領域２４ａにある切れ目５６に沿って係合部５２を切り起こし、固定手段形成領域２４ｂにおいて切れ目５８により形成された被係合部５４に差し込むことにより、筒状部３０を構成した状態を維持可能なようにシート状部材２０を固定することができる。
【００４４】
図４に示すように音声拡張装置１０を差込口形成領域２８側から平面視すると、固定手段５０による固定位置は、音声拡張装置１０の背面側（差込口形成領域２８の縁Ａ側）の領域に位置している。また、図５に示すように音声拡張装置１０を筒状部３０の両端部（開口端）側から側面視すると、固定手段５０による固定位置は、筒状部３０の軸心位置の高さと同等あるいはそれ以下の領域に位置している。
【００４５】
固定手段５０は、筒状部３０の軸線方向の一部の領域においてのみシート状部材２０を固定し、他の領域においてはシート状部材２０が非固定状態とされる。すなわち、音声拡張装置１０の組み立てに際し、固定手段５０は、係合部５２及び被係合部５４が設けられているシート状部材２０の長手方向両端近傍（筒状部３０の軸線方向両端近傍）においてのみシート状部材２０を固定し、他の部分においてはシート状部材２０を固定しない。ここで、シート状部材２０は、可撓性を有する素材により形成されており、筒状部３０を構成するために屈曲させると元の平坦な状態に戻る方向に弾性力を発揮するものである。そのため、図４に示すように、音声拡張装置１０の組み立て状態において、固定手段５０により固定されていない領域については、固定されている領域よりも筒状部３０から離れる方向に撓んだ状態になる。
【００４６】
設置面到達部６０は、シート状部材２０に設けられた設置面到達部形成領域２６によって構成される部分である。上述したように、設置面到達部形成領域２６は、シート状部材２０において幅方向一端側に設けられた固定手段形成領域２４ａに対し、さらに幅方向外側に設けられた領域である。また、上述したように、固定手段形成領域２４ａ側の端部は、音声拡張装置１０を組み立てるためにシート状部材２０を巻回す際に、固定手段形成領域２４ｂ側の端部に対して外側に重なる部分である。そのため、図１や図５に示すように、設置面到達部６０は、音声拡張装置１０の背面側において、固定手段５０によるシート状部材２０の固定位置を越えて突出した状態になる。また、設置面到達部６０は、端末差込口３２が上方に向けて開口するように音声拡張装置１０を設置面１１２上に設置することにより、設置面１１２に到達するように形成されている。そのため、音声拡張装置１０を設置面１１２上に設置すると、筒状部３０だけでなく、設置面到達部６０においても設置面１１２に接触する。すなわち、設置面到達部６０は、筒状部３０が転倒しないように支持する支持脚としての機能を発揮する。
【００４７】
ここで、上述したように、固定手段形成領域２４ａにおいて固定手段５０により固定されていない領域（本実施形態では、筒状部３０の軸線方向の中間領域）については、固定されている領域よりも筒状部３０から離れる方向に撓んだ状態になっている。また、設置面到達部６０が設けられている設置面到達部形成領域２６は、係合部５２が設けられた固定手段形成領域２４ａに連続する位置にある。そのため、図４に示すように、設置面到達部形成領域２６についても、筒状部３０の軸線方向の中間領域において筒状部３０から離れる方向に撓んで膨出した状態になっている。これにより、筒状部３０が転倒しないように支持する支持脚としての設置面到達部６０の機能が強化されている。
【００４８】
上述したように、本実施形態の音声拡張装置１０は、シート状部材２０を用いて組み立てることにより、電源等を用いることなく使用可能なものである。そのため、音声拡張装置１０は、シート状部材２０の状態で持ち運び、使用したい場所において組み立てて使用できる。従って、本実施形態の音声拡張装置１０は、携帯性及び利便性に優れている。また、電源を使用する必要がないため、別途電源を準備したり、端末１００のバッテリーを使用する必要がない。そのため、音声拡張装置１０は、電源が使用できない屋外や、バッテリー容量が十分でない端末１００においても好適に利用することができる。
【００４９】
また、図５等に示すように、音声拡張装置１０は、端末差込口３２に端末１００を差し込むことにより、端末１００のスピーカー１０２が設けられた部分が、筒状部３０の内側に収まる。これにより、スピーカー１０２から発生させた音声を、筒状部３０における指向性増強や共鳴等の効果により拡張させることができる。
【００５０】
また、図５に示すように、音声拡張装置１０においては、端末差込口３２に差し込まれた端末１００が、端末ガイド部４０によってガイドされて傾斜した姿勢となり、筒状部３０の内周面３０ａに対して線接触する。そのため、底面１００ａ近傍にスピーカー１０２が設けられた構造の端末１００を使用した場合であっても、スピーカー１０２が筒状部３０の内周面３０ａによって完全に閉塞されてしまうことを抑制し、音質の高い音声を発生させることが可能となる。
【００５１】
また、端末ガイド部４０は、シート状部材２０の一部を用いて形成されるものであり、端末ガイド部４０となるものを別途準備する必要がない。そのため、音声拡張装置１０は、構成が極めてシンプルである。
【００５２】
なお、本実施形態では、シート状部材２０に設けられた差込口形成領域２８を筒状体３０の内側に折り込んで端末ガイド部４０を形成した例を示したが、本発明はこれに限定されるものではなく、差込口形成領域２８を筒状体３０の外側に引き起こして端末ガイド部４０に相当するものを形成しても良い。また、音声拡張装置１０は、端末ガイド部４０に相当するものを別途の部材で作成することや、端末ガイド部４０を設けないこととしても良い。なお、底面１００ａ近傍にスピーカー１０２が設けられた構造の端末１００の使用が想定される場合には、端末ガイド部４０を設けない場合であっても、端末１００が上述したのと同様に傾斜した姿勢になるようにする方策を講じることが好ましい。
【００５３】
また、本実施形態では、差込口形成領域２８が、筒状部３０の軸線方向中間部に設けられている。そのため、端末１００のスピーカー１０２において発生した音声を、左右に分配して伝播させることができる。従って、音声拡張装置１０によれば、端末１００において発生した音声を、ステレオ方式の如く再生させることが可能である。
【００５４】
上述したように、音声拡張装置１０には、設置面到達部６０が設けられている。そのため、音声拡張装置１０を設置対象物１１０に設置すると、筒状部３０だけでなく設置面到達部６０においても設置面１１２に当接した状態になり、安定性が高い。さらに、本実施形態では、筒状部３０の軸線方向の両端側の領域においてシート状部材２０が固定手段５０によって固定され、軸線方向の中間部分においてはシート状部材２０が非固定状態とされている。このような構成とすることにより、設置面到達部６０において筒状部３０の軸線方向の中間部分が両端部分よりも筒状部３０から離れる方向に撓んで膨出した状態になり、筒状部３０が転倒しないように支持することができる。
【００５５】
なお、本実施形態においては、固定手段５０による固定位置を筒状部３０の軸線方向両端側に設け、軸線方向中間部においては固定手段５０による固定を行わない例を示したが、本発明はこれに限定されるものではない。具体的には、固定手段５０による固定位置を筒状部３０の軸線方向中間部に設け、軸線方向両端部においては固定手段５０による固定を行わないこととしても良い。かかる構成とした場合には、上述した実施形態の例とは逆に、筒状部３０の軸線方向の両端部分が中間部分よりも筒状部３０から離れる方向に撓んで膨出した状態になり、両端の膨出部分を筒状部３０が転倒しないように支持するための支持脚として機能させることが可能となる。また、筒状部３０の安定性向上の観点からは好ましくないが、筒状部３０の軸線方向の略全体において固定手段５０に相当するものによりシート状部材２０を固定することとしても良い。なお、筒状部３０の安定性向上の観点からすれば、筒状部３０の軸線方向の略全体においてシート状部材２０を固定する場合には、筒状部３０自身が転倒しにくい構成である場合を除き、筒状部３０を支持するための構成を付加することが望ましい。
【００５６】
また、上述した音声拡張装置１０は、固定手段５０がシート状部材２０に一体的に形成されている。そのため、音声拡張装置１０は、構成がシンプルである。なお、固定手段５０は、上述したようにシート状部材２０に一体的に形成することも可能であるが、本発明はこれに限定されるものではなく、固定手段５０に代えて別途の部材を採用しても良い。また、固定手段５０に加えて、さらに別の固定手段を設けても良い。
【００５７】
上述した音声拡張装置１０は、端末差込口３２に端末１００を差し込んだ状態において端末１００の側方に筒状部３０の内部空間に連通した隙間３４が形成される構成とされている。これにより、端末差込口３２に差し込んだ端末１００において発生する音質や音響効果の向上が期待できる。また、端末差込口３２に対して、端末１００を容易に差し込み可能となる。
【００５８】
上述した実施形態では、音声拡張装置１０の組立用として用いるシート状部材２０のみを準備する例を示したが、本発明はこれに限定されるものではない。具体的には、他物品を構成する部材の一部としてシート状部材２０を設け、音声拡張装置１０を使用する際に他物品を構成する他部材からシート状部材２０を適宜分離させて使用可能としても良い。さらに詳細には、例えば従来公知のクリアフォルダを構成する２枚のシートのうち、一方あるいは双方をシート状部材２０によって構成し、音声拡張装置１０として使用する際にシート状部材２０を分離させて組み立て可能としても良い。同様の例として、カレンダーや、雑誌あるいは書籍等の冊子等の一部としてシート状部材２０を設けたもの等が考えられる。
【００５９】
本実施形態では、シート状部材２０をポリプロピレン等の樹脂製のシート等を用いて形成した例を示したが、変形可能なシート材であればいかなる材質で作成されていても良い。具体的には、紙などをシート状部材２０の材料として用いても良い。
【００６０】
また、音声拡張装置１０及びこれを構成するシート状部材２０の製造方法は特に限定されるものではないが、シート材を打ち抜きやレーザー加工などの従来公知の方法を用いて行うことができる。
【００６１】
また、筒状部３０等には、必要に応じて広告などの表示を行うことも可能である。この表示は、着色などで行ってもよく、既に説明したように型でプレスする際に機能に影響しないような形に型抜きするなどして行ってもよい。
【００６２】
本実施形態の音声拡張装置１０は、筒状部３０を断面形状が円形の筒体とした例を示したが、本発明はこれに限定されるものではなく断面形状が矩形や多角形の筒体であっても良い。かかる構成とした場合、筒状部３０の安定性が向上するため、設置面到達部６０のような筒状部３０の安定性を向上させるための構成を適宜省略することが可能となる。
【産業上の利用可能性】
【００６３】
本発明の組立式音声拡張装置は、携帯電話機、スマートフォン、デジタル音楽プレイヤー、タブレット型端末等のような端末から発せられる音声を拡張する用途全般において利用できる。
【符号の説明】
【００６４】
１０    音声拡張装置
２０    シート状部材
２８    差込口形成領域
２８ａ  稜線
３０    筒状部
３０ａ  内周面
３２    端末差込口
３４    隙間
４０    端末ガイド部
５０    固定手段
５０    非固定手段
６０    設置面到達部
１００    端末
１０２    スピーカー
１１０    設置対象物
１１２    設置面
【図１】
2015177517.tif 000003
【図２】
2015177517.tif 000004
【図３】
2015177517.tif 000005
【図４】
2015177517.tif 000006
【図５】
2015177517.tif 000007